【手続補正書】
【提出日】平成21年8月25日(2009.8.25)
【手続補正１】
【補正対象書類名】特許請求の範囲
【補正対象項目名】全文
【補正方法】変更
【補正の内容】
【特許請求の範囲】
【請求項１】
移動体デバイスにおいて、加入されたコンテンツを受信する方法であって、
コンテンツプロバイダに登録することと、
コンテンツに対する加入メッセージを通信することであって、該加入メッセージは、コンテンツタイプを規定する加入フィルタを含む、ことと、
提示された加入フィルタと関連付けられた加入識別子を受信することであって、該加入識別子は該加入の間に持続される、ことと、
コンテンツに対する引き続く要求を送信することであって、該引き続く要求は該加入識別子を含む、ことと、
該通信するステップと送信するステップとのうちの少なくとも１つに応答して、該加入フィルタに従う該コンテンツタイプのコンテンツを受信することと
を包含する、方法。
【請求項２】
前記加入メッセージは、特定のコンテンツキャッシュサイズと、配信されるコンテンツの量とのうちの少なくとも１つを特定するルールをさらに含む、請求項１に記載の方法。
【請求項３】
前記通信することは、前記コンテンツプロバイダに前記加入メッセージを直接送信することを包含する、請求項１に記載の方法。
【請求項４】
前記通信することは、前記コンテンツプロバイダのプロキシとして構成されたコンテンツ配信サーバに、前記加入メッセージを直接送信することを包含する、請求項１に記載の方法。
【請求項５】
前記受信することは、プルベアラを介して行われる、請求項１に記載の方法。
【請求項６】
前記コンテンツを受信するステップは、コンテンツが利用可能でないという指示を提供する、請求項１に記載の方法。
【請求項７】
加入されたコンテンツを受信するように構成された移動体デバイスであって、該移動体デバイスは、
プロセッサと、
通信システムと
を備え、該プロセッサと該通信サブシステムとは、
コンテンツプロバイダに登録することと、
コンテンツに対する加入メッセージを通信することであって、該加入メッセージは、コンテンツタイプを規定する加入フィルタを含む、ことと、
提示された加入フィルタと関連付けられた加入識別子を受信することであって、該加入識別子は該加入の間に持続される、ことと、
コンテンツに対する引き続く要求を送信することであって、該引き続く要求は該加入識別子を含む、ことと、
該通信するステップと送信するステップとのうちの少なくとも１つに応答して、該加入フィルタに従う該コンテンツタイプのコンテンツを受信することと
を行うように構成されている、移動体デバイス。
【請求項８】
移動体デバイスにおいて、加入されたコンテンツを受信する方法であって、
コンテンツプロバイダに登録することと、
コンテンツに対する加入メッセージを通信することであって、該加入メッセージは、コンテンツタイプを規定する加入フィルタを含む、ことと、
提示された加入フィルタと関連付けられた加入識別子を受信することであって、該加入識別子は該加入の間に持続される、ことと、
該加入フィルタに適合するコンテンツを受信することと、
追加のコンテンツまたは更新されたコンテンツに対する引き続く要求を送信することと、
追加のコンテンツまたは更新されたコンテンツに対する該引き続く要求に応答して、該加入フィルタに従う該コンテンツタイプのコンテンツを有する応答を受信すること、またはコンテンツが該応答において受信されない場合には、コンテンツがプッシュベアラを介して配信されるまで待機することと
を包含する、方法。
【請求項９】
前記加入メッセージは、特定のコンテンツキャッシュサイズと配信されるコンテンツの量との間の少なくとも１つを特定するルールをさらに含む、請求項８に記載の方法。
【請求項１０】
前記通信することは、前記コンテンツプロバイダに、前記加入メッセージを直接送信することを包含する、請求項８に記載の方法。
【請求項１１】
前記通信することは、前記コンテンツプロバイダに対するプロキシとして構成されたコンテンツ配信サーバに、前記加入メッセージを直接送信することを包含する、請求項８に記載の方法。
【請求項１２】
加入されたコンテンツを受信するように構成された移動体デバイスであって、該移動体デバイスは、
プロセッサと、
通信サブシステムと
を備え、該プロセッサと該通信サブシステムとは、
コンテンツプロバイダに登録することと、
コンテンツに対する加入メッセージを通信することであって、該加入メッセージは、コンテンツタイプを規定する加入フィルタを含む、ことと、
提示された加入フィルタと関連付けられた加入識別子を受信することであって、該加入識別子は該加入の間に持続される、ことと、
該加入フィルタに適合するコンテンツを受信することと、
追加のコンテンツまたは更新されたコンテンツに対する引き続く要求を送信することと、
追加のコンテンツまたは更新されたコンテンツに対する該引き続く要求に応答して、該加入フィルタに従う該コンテンツタイプのコンテンツを有する応答を受信すること、またはコンテンツが該応答において受信されない場合には、コンテンツがプッシュベアラを介して配信されるまで待機することと
を行うように構成される、移動体デバイス。
【請求項１３】
配信サーバにおける混合モード配信のための方法であって、
移動体デバイスからコンテンツに対する要求を受信することであって、該要求は、コンテンツタイプを規定する加入フィルタを含む、ことと、
該要求に従って、該移動体デバイスに対する加入識別子を決定することであって、該加入識別子は、該移動体デバイスが該コンテンツタイプのコンテンツを受信するように、該加入フィルタに対応する、ことと、
コンテンツプロバイダにコンテンツ要求を送信することであって、該コンテンツ要求は該加入識別子を含む、ことと、
該コンテンツ要求に従って、該加入識別子に基づいて該コンテンツプロバイダから応答を受信することと、
該応答を該移動体デバイスに転送することと
を包含する、方法。
【請求項１４】
前記加入識別子を決定することは、デバイス識別子の該加入識別子へのマッピングを利用し、このようなマッピングは前記配信サーバにおいて格納される、請求項１３に記載の方法。
【請求項１５】
前記決定するステップは、前記コンテンツ要求からの前記デバイス識別子を利用することを包含する、請求項１４に記載の方法。
【請求項１６】
前記コンテンツに対する要求を受信することの前に、
加入要求を受信することと、
前記移動体デバイスから加入フィルタを受信することと、
該移動体デバイスに加入識別子を提供することと
をさらに包含する、請求項１３に記載の方法。
【請求項１７】
前記配信サーバにおいて、前記コンテンツプロバイダからコンテンツをキャッシュするステップをさらに包含する、請求項１３に記載の方法。
【請求項１８】
キャッシュされたコンテンツを前記移動体デバイスにすぐにプッシュするかどうかを決定するために、前記配信サーバにおいて、フラグをチェックするステップをさらに包含する、請求項１３に記載の方法。
【請求項１９】
前記フラグは、前記移動体デバイスがコンテンツを消費する準備ができたことの指示を、該移動体デバイスから受信する際に設定される、請求項１８に記載の方法。
【請求項２０】
前記加入フィルタを、前記配信サーバにおいて、コンテンツに対して適用するステップをさらに包含する、請求項１３に記載の方法。
【請求項２１】
前記加入フィルタを適用するステップは定期的に行われる、請求項２０に記載の方法。
【請求項２２】
前記加入フィルタを適用するステップは、コンテンツに対する前記要求が受信される前に行われる、請求項２１に記載の方法。
【請求項２３】
前記転送することは、前記加入識別子を前記コンテンツとともに含む、請求項１３に記載の方法。
【請求項２４】
配信サーバにおける混合モード配信のための方法であって、
コンテンツプロバイダからコンテンツを受信することであって、該コンテンツは加入識別子に関連付けられる、ことと、
該加入識別子に基づいて、該コンテンツにおいて関心のある複数のデバイスを識別することであって、該加入識別子は、該複数のデバイスの各々のデバイスに共通の加入フィルタに関連付けられる、ことと、
コンテンツを該複数のデバイスに転送することと
を包含する、方法。
【請求項２５】
前記転送するステップは、
前記複数のデバイスの各々のデバイスに対するフラグが、各々のデバイスがコンテンツを受信する準備ができていることを示すかどうかをチェックすることと、
該フラグが、該複数のデバイスのうちの１つのデバイスは、準備ができていることを示す場合には、該コンテンツを該デバイスにプッシュすることと、
該フラグが、該複数のデバイスのうちの該１つのデバイスは、準備ができていない場合に、該コンテンツをキャッシュすることと
を包含する、請求項２４に記載の方法。
【請求項２６】
前記転送するステップは、
移動体デバイスからコンテンツに対する要求を受信することと、
コンテンツが該移動体デバイスに対してキャッシュされるかどうかをチェックすることと、
該キャッシュされたコンテンツを該移動体デバイスに送信することと
を包含する、請求項２４に記載の方法。
【請求項２７】
前記配信サーバのキャッシュ内に格納された期限切れのコンテンツを処分することをさらに包含する、請求項２４に記載の方法。
【請求項２８】
前記配信サーバのキャッシュ内に格納されたコンテンツを、更新されたコンテンツと置き換えることをさらに包含する、請求項２４に記載の方法。
【請求項２９】
前記コンテンツをプッシュする場合に、前記加入識別子を該コンテンツに追加することをさらに包含する、請求項２５に記載の方法。
【請求項３０】
前記コンテンツをプッシュする場合に、前記コンテンツから前記加入識別子をストリップすることをさらに包含する、請求項２５に記載の方法。
【請求項３１】
前記コンテンツに対する要求が、コンテンツサブセットに適用されるルールを含む、請求項２６に記載の方法。
【請求項３２】
前記コンテンツに対する要求が、プッシュスケジュールを含む、請求項２６に記載の方法。